(57)【要約】【課題】簡単な構成でリアリティのある打撃音を放音可能なＰＣＭ録音方式の電子ドラムを提供すること。【解決手段】衝撃波信号（Ｓｕ）を入力する、周波数特性の異なる２種類のフィルタ（ＨＰＦ３００、ＬＰＦ３０２）の夫々に対して個別にその後段側に、トリガ検出部（３０４、３０６）、フィルタ固有の音源部（３１２、３１４）および割り当て指示部（３０８、３１０）とを含んで成る２系統の信号処理系を設ける。そして、各割り当て指示部（３０８、３１０）は、トリガ検出部（３０４、３０６）がトリガ信号を検出するとこれに応答して、音源部（３１２、３１４）にボイス割り当て指示を与えるので、音源部（３１２、３１４）はこれに応答してフィルタ固有の発音動作を行う。【選択図】図６
2010271428.tif 000002
【特許請求の範囲】
【請求項１】
ドラム本体の打撃面に対する打撃によるこの打撃面の振動を振動ピックアップによって衝撃波信号として検出するように構成された電子ドラムにおいて、  
前記振動ピックアップによって検出された前記衝撃波信号を入力する、周波数特性の異なる複数種類のフィルタを備え、
前記複数種類のフィルタの夫々に対して個別にその後段側に、
フィルタの出力に基づいてトリガ信号を検出出力するトリガ検出手段と、ボイス割り当て指示が与えられるとこれに応答して当該フィルタ固有の発音動作を行う音源手段と、前記トリガ検出手段からトリガ信号が出力されるとこれに応答して前記音源手段にボイス割り当て指示を与える割り当て指示手段とを含んで成る信号処理系を設けたことを特徴とする電子ドラム。
【請求項２】
請求項１に記載の電子ドラムにおいて、
前記複数種類のフィルタの夫々に対してＰＣＭ方式で録音したＰＣＭ信号を記録したメモリを更に備え、
前記ボイス割り当て指示が与えられた前記音源手段は、前記メモリから対応するＰＣＭ信号を読み出し再生することを特徴とする電子ドラム。
【請求項３】
請求項２に記載の電子ドラムにおいて、
前記複数種類のフィルタは、
ハイパスフィルタとローパスフィルタであり、
前記ハイパスフィルタの後段には、
前記ハイパスフィルタの出力に基づいてトリガ信号を検出出力する第１のトリガ検出手段と、ボイス割り当て指示が与えられるとこれに応答して当該ハイパスフィルタ固有の発音動作を行う第１の音源手段と、前記第１のトリガ検出手段からトリガ信号が出力されるとこれに応答して前記第１の音源手段にボイス割り当て指示を与える第１の割り当て指示手段とを含んで成るハイパス信号処理系を備え、更に、
前記ローパスフィルタの後段には、
前記ローパスフィルタの出力に基づいてトリガ信号を検出出力する第２のトリガ検出手段と、ボイス割り当て指示が与えられるとこれに応答して当該ローパスパスフィルタ固有の発音動作を行う第２の音源手段と、前記第２のトリガ検出手段からトリガ信号が出力されるとこれに応答して前記第２の音源手段にボイス割り当て指示を与える第２の割り当て指示手段とを含んで成るローパス信号処理系を備え、
前記メモリは、
前記ローパスフィルタおよび前記ハイパスフィルタのそれぞれに対してＰＣＭ方式で録音した２種類のＰＣＭ信号を記録することを特徴とする電子ドラム。
【請求項４】
請求項３に記載の電子ドラムにおいて、
前記ローパスフィルタの周波数特性の右肩下がり部と、前記ハイパスフィルタの周波数特性の右肩上がり部とが交差していることを特徴とする電子ドラム。
【発明の詳細な説明】
【技術分野】
【０００１】
本発明は、胴本体に張設された打撃面に対する打撃による該打撃面の振動を振動ピックアップによって衝撃波信号として検出するように構成された電子ドラムの改良に関する。
【背景技術】
【０００２】
メモリにＰＣＭ方式で記録しておいたＰＣＭ信号を所要時に読み出してドラム打撃音等をリアルに放音する電子ドラムが従来から提案されている。この電子ドラムにあっては、手やスティックを用いた打撃による打撃面の振動を振動ピックアップによって衝撃波信号として検出し、この検出した衝撃波信号の強さでドラム音の音量、音色等を制御するものであった。しかし、衝撃波信号の強さでドラム音の音色、音量等を制御する方式によれば、打撃対象物、打撃態様（打撃面の叩き方）、あるいは打撃位置によって音色、音量等を制御することはできない。そのため、例えば打撃位置を検出する打撃位置検出センサを設けこれに対処する電子ドラムが提案されていた。また、ＬＦＯ（低周波発振器）で変調制御されたＶＣＦ（ボルテージコントロールドフィルタ）とＰＣＭ波形を読み出し可能な波形発生回路を備え、ＶＣＦからの出力（第１の出力）と波形発生回路からのＰＣＭ信号出力（第２の出力）と、ＶＣＦからの出力および波形発生回路からのＰＣＭ出力との混合信号の出力（第３の出力）と、を得ることができる電子打楽器も提案されており、この電子打楽器によって様々な音色変化が可能となっていた（例えば、特許文献１参照。）。
【先行技術文献】
【特許文献】
【０００３】
【特許文献１】特許第３７７２６７４号公報（第５−７頁、第１図）
【発明の概要】
【発明が解決しようとする課題】
【０００４】
しかしながら、例えば打撃位置を検出する打撃位置検出センサを設けた装置によれば、複数の位置で同時に打撃した場合にその位置検出が困難になることから、センサを複数個備えた大掛かりな構成にならざるを得なかった。しかも、打撃位置を検出するだけで打撃対象物や打撃態様は何ら考慮されていなかった。また、上述したＬＦＯ（低周波発振器）で変調制御されたＶＣＦとＰＣＭ波形を読み出し可能な波形発生回路を備えた電子ドラムにあっても、ＬＦＯを設ける等構成が複雑であり、やはり打撃対象物や打撃態様に対する考慮が欠けており、打撃音のリアリティに欠けていた。
【０００５】
本発明は、かかる従来の課題を解決するためになされたもので、簡単な構成でリアリティのある打撃音を放音可能なＰＣＭ録音方式の電子ドラムを提供することを目的とする。
【課題を解決するための手段】
【０００６】
上記目的を達成するために、本発明は、ドラム本体の打撃面に対する打撃によるこの打撃面の振動を振動ピックアップによって衝撃波信号として検出するように構成された電子ドラムにおいて、
前記振動ピックアップによって検出された前記衝撃波信号を入力する、周波数特性の異なる複数種類のフィルタを備え、
前記複数種類のフィルタの夫々に対して個別にその後段側に、
フィルタの出力に基づいてトリガ信号を検出出力するトリガ検出手段と、ボイス割り当て指示が与えられるとこれに応答して当該フィルタ固有の発音動作を行う音源手段と、前記トリガ検出手段からトリガ信号が出力されるとこれに応答して前記音源手段にボイス割り当て指示を与える割り当て指示手段とを含んで成る信号処理系を設けたことを特徴とするようにした。
【０００７】
この構成によれば、振動ピックアップによって検出された衝撃波信号を入力する、周波数特性の異なる複数種類のフィルタの夫々に対して個別にその後段側に、トリガ検出手段、当該フィルタ固有の音源手段および割り当て指示手段とを含んで成る信号処理系を備える。そして、割り当て指示手段は、トリガ検出手段がトリガ信号を検出出力するとこれに応答して音源手段にボイス割り当て指示を与えるので、音源手段はこれに応答して当該フィルタ固有の発音動作を行う。この結果、衝撃波信号に対して各フィルタ固有の周波数特性で抽出される周波数成分を利用した発音処理が行われることによって、リアリティのある打撃音を放音することが可能となり、しかもその構成は簡素なものである。
【０００８】
また、上記電子ドラムにおいて、前記複数種類のフィルタの夫々に対してＰＣＭ方式で録音したＰＣＭ信号を記録したメモリを更に備え、前記ボイス割り当て指示が与えられた前記音源手段は、前記メモリから対応するＰＣＭ信号を読み出し再生する構成とすることができる。そして、周波数特性の異なる２種類のフィルタを用いた具体的な構成としては、前記複数種類のフィルタは、ハイパスフィルタとローパスフィルタであり、前記ハイパスフィルタの後段には、前記ハイパスフィルタの出力に基づいてトリガ信号を検出出力する第１のトリガ検出手段と、ボイス割り当て指示が与えられるとこれに応答して当該ハイパスフィルタ固有の発音動作を行う第１の音源手段と、前記第１のトリガ検出手段からトリガ信号が出力されるとこれに応答して前記第１の音源手段にボイス割り当て指示を与える第１の割り当て指示手段とを含んで成るハイパス信号処理系を備え、更に、前記ローパスフィルタの後段には、前記ローパスフィルタの出力に基づいてトリガ信号を検出出力する第２のトリガ検出手段と、ボイス割り当て指示が与えられるとこれに応答して当該ローパスパスフィルタ固有の発音動作を行う第２の音源手段と、前記第２のトリガ検出手段からトリガ信号が出力されるとこれに応答して前記第２の音源手段にボイス割り当て指示を与える第２の割り当て指示手段とを含んで成るローパス信号処理系を設け、前記メモリは、前記ローパスフィルタおよび前記ハイパスフィルタのそれぞれに対してＰＣＭ方式で録音した２種類のＰＣＭ信号を記録する構成とすれば良い。この際、衝撃波信号の総ての周波数成分に対応するために、前記ローパスフィルタの周波数特性の右肩下がり部と前記ハイパスフィルタの周波数特性の右肩上がり部とが交差しているようにすることが好ましい。
【０００９】
また、本発明によれば、胴本体に張設されたヘッドやリム、または樹脂材料で一体成型された本体にゴム板を取り付けたヘッドなどの打撃面に対する打撃によるこの打撃面の振動を振動ピックアップによって衝撃波信号として検出する構成とし、前記振動ピックアップによって検出された前記衝撃波信号を入力する、周波数特性の異なる複数種類のフィルタを備えた電子ドラムの前記複数種類のフィルタの夫々に対して個別にその後段側に設けた信号処理系に、当該個別の信号処理系のフィルタの出力に基づいてトリガ信号を検出するトリガ検出機能と、ボイス割り当て指示が与えられるとこれに応答して発音動作を行う当該フィルタ固有の音源手段に対して、前記トリガ検出手段がトリガ信号を検出するとこれに応答し前記音源手段にボイス割り当て指示を与える割り当て指示機能と、を実現させるためのコンピュータ実行可能な動作プログラムも提供される。
【発明の効果】
【００１０】
本発明によれば、簡単な構成でリアリティのある打撃音を放音可能なＰＣＭ録音方式の電子ドラムを提供することができるという効果が得られる。
【図面の簡単な説明】
【００１１】
【図１】信号処理系の構成図である。
【図２】信号処理系の動作の説明図である。
【図３】衝撃波信号の波形の説明図である。
【図４】ドラム側の外観の模式的な説明図である。
【図５】ドラム側の平面図である。
【図６】ＰＣＭ系信号処理部３０の構成図である。
【図７】テーブル７００の説明図である。
【図８】フィルタの周波数特性の説明図である。
【発明を実施するための形態】
【００１２】
以下、本発明を実施の形態について図面を参照しつつ説明する。なお、本発明の実施形態においては、共振系信号処理部２０とＰＣＭ系信号処理部３０とを並設した構成の電子ドラム用の信号処理部を例にとり説明するが、本発明の特徴部はＰＣＭ系信号処理部３０である。
【００１３】
図４は本発明の実施形態である電子ドラムのドラム本体側の外観を示す模式的説明図であり、図５はその平面図である。図４、図５に示すように、外観視筒状体のシェル２００（胴本体）の上面である開放面には、打撃面１（ドラムヘッド）がシエル２００に張設されている。また、シエル２００の外周面には、その縦方向において適宜の間隔を設けてラグ５００が配置されている。更に、テンションボルト１００の貫通孔が形成されたリム４００が打撃面１の外縁部を押さえ付けるようにした状態で、テンションボルト１００が前記貫通孔を介してラグ５００にねじ込まれて締結され所定の張設力で打撃面１が張設されている。そして、図４、図５では図示はしないが、打撃面１の打撃による打撃面１の振動信号を検出し、衝撃波信号（Ｓｕ）として出力する振動ピックアップが打撃面１（ドラムヘッド）の裏面又は表面の適宜の位置に設けられている。図３はこの衝撃波信号（Ｓｕ）の波形の模式的説明図であり、横軸を時間軸（ｔ）としている。
【００１４】
（信号処理部）
図１は本発明の実施形態である電子ドラムの信号処理部の構成図である。この信号処理部は、打撃面１を打撃した際に打撃面１の振動振幅に応じた振幅信号を出力する振動ピックアップ（不図示）が出力する衝撃波信号（Ｓｕ）をアナログデジタル変換するＡ／Ｄ変換器１０と、このアナログデジタル変換されたデジタル信号を入力する共振系信号処理部２０と、このアナログデジタル変換されたデジタル信号を入力するＰＣＭ系信号処理部３０と、共振系信号処理部２０からの出力信号を増幅するゲイン６０と、ＰＣＭ系信号処理部３０からの出力信号を増幅するゲイン６２と、両ゲイン６０、６２からの出力信号を混合するミキサー６５（混合手段）と、混合されたミキシング信号をデジタルアナログ変換するＤ／Ａ変換器４０と、このデジタルアナログ変換されたアナログ信号を電子ドラム音として放音するためのスピーカ５０とを備えている。更に、ゲイン６０、ゲイン６２は不図示の操作子でゲイン量を個別に調整可能になっている。そして、電子ドラムには図１に示すような信号処理部が内蔵されている。
【００１５】
また、メモリ７０には予め実際の打楽器音等をＰＣＭ方式で録音した信号（例えば電子ドラム残響音等）が記録されており、ＰＣＭ系信号処理部３０は、以下に説明するように、所定時にメモリ７０から録音信号を読み出して再生出力するように構成されている。図７は電子ドラムに適用した場合に、このメモリ７０に格納されるテーブル７００の説明図である。この例では、打撃面１を打撃することによって得られる衝撃波信号（Ｓｕ）が、ＨＰＦ３００（ハイパスフィルタ）を通過した場合とＬＰＦ３０２（ローパスフィルタ）を通過した場合の２種類に分けて別々に記録されている。打撃面１を打撃することによって得られる衝撃波信号（Ｓｕ）がＬＰＦ３０２を通過して発音動作される場合には「低音用」としてＰＣＭ信号「ＰＬ」が読み出し再生されるように構成されている。同様に、打撃面１を打撃することによって得られる衝撃波信号（Ｓｕ）がＨＰＦ３００を通過して発音動作される場合には「高音用」としてＰＣＭ信号「ＰＨ」が読み出し再生されるように構成されている。
【００１６】
図６は本発明の特徴部の構成例であり、図１に示したＰＣＭ系信号処理部３０の構成図である。図６に示すように、ＰＣＭ系信号処理部３０は、ハイパス信号処理系とローパス信号処理系の２系統の信号処理系で成っている。ＨＰＦ３００とＬＰＦ３０２とは夫々、衝撃波信号（Ｓｕ）を入力する構成となっている。図８（ａ）はこのＨＰＦ３００とＬＰＦ３０２の周波数特性（横軸は周波数ｆ、縦軸は出力レベル）を模式的に示した説明図である。図中「ＬＰＦ」で示した特性はＬＰＦ３０２に対するものであり、図中「ＨＰＦ」で示した特性はＨＰＦ３００に対するものである。図８（ａ）を参照すれば分かるように、衝撃波信号（Ｓｕ）の低域側周波数成分はＬＰＦ３０２で抽出される一方、衝撃波信号（Ｓｕ）の高域側周波数成分はＨＰＦ３００で抽出される。かくして、衝撃波信号（Ｓｕ）は２種類の周波数特性の異なるフィルタ（ＨＰＦ３００、ＬＰＦ３０２）によって低域と高域の両成分に分かれて（周波数特性の交差部が存在するため「完全な分離」を意味しない）以降の信号処理が実行される。但し、ＬＰＦ３０２の右肩下がり部とＨＰＦ３００の右肩上がり部とは交差するようになっていて、これによって衝撃波信号（Ｓｕ）の総ての周波数成分に対応可能となり、両信号処理系の動作が対等に行われるようになっている。
【００１７】
また、図８（ｂ）は、ＨＰＦ３００と不図示のＢＰＦ（バンドパスフィルタ）とＬＰＦ３０２の周波数特性を模式的に説明した説明図である。図中「ＬＰＦ」で示した特性はＬＰＦ３０２に対するものであり、また、図中の「ＢＰＦ」で示した特性はＢＰＦに対するものであり、更にまた、図中「ＨＰＦ」で示した特性はＨＰＦ３００に対するものである。図８（ｂ）を参照すれば分かるように、衝撃波信号（Ｓｕ）の低域側周波数成分はＬＰＦ３０２で抽出され、衝撃波信号（Ｓｕ）の高域側周波数成分はＨＰＦ３００で抽出され、そして、低域側周波数成分と高域側周波数成分の中間の中間周波数成分はＢＰＦで抽出されるようになっている。かくして、衝撃波信号（Ｓｕ）は周波数特性の異なる３種類のフィルタ（ＨＰＦ３００、ＬＰＦ３０２、ＢＰＦ）によって低域、中域側、高域の３つの周波数成分に分かれて以降の信号処理が実行される。なお、ＬＰＦ３０２の特性とＨＰＦ３００の特性とＢＰＦの特性に交差する部分が存在する。このように本発明にあっては周波数特性の異なる２種類以上のフィルタの夫々を用いて衝撃波信号（Ｓｕ）の周波数成分抽出を行うようにすれば良く、周波数特性の異なるフィルタの種類数は２個乃至３個に限られない。
【００１８】
さて、図６を参照してＰＣＭ系信号処理部３０の構成の説明を続ける。ハイパス信号処理系は、衝撃波信号（Ｓｕ）を入力して高域側周波数成分を抽出するＨＰＦ３００と、このＨＰＦ３００の出力を入力しこれに基づいてトリガ信号の検出出力を行うトリガ検出部３０４と、このトリガ検出部３０４が出力したトリガ信号が入力されると音源部３１２に対してボイス割り当て指示を与える割り当て指示部３０８と、ボイス割り当て指示が与えられるとこれに応答してハイパスフィルタ固有の発音制御を行う音源部３１２と、音源部３１２からの発音信号を増幅するゲイン３１６とを有している。一方、ローパス信号処理系は、衝撃波信号（Ｓｕ）を入力して低域側周波数成分を抽出するＬＰＦ３０２と、このＬＰＦ３０２の出力を入力しこれに基づいてトリガ信号の検出出力を行うトリガ検出部３０６と、このトリガ検出部３０６が出力したトリガ信号が入力されると音源部３１４に対してボイス割り当て指示を与える割り当て指示部３１０と、ボイス割り当て指示が与えられるとこれに応答してローパスフィルタ固有の発音制御を行う音源部３１４と、音源部３１４からの発音信号を増幅するゲイン３１８とを有している。そして、両ゲイン３１６、３１８からの増幅信号はミキサー３２０で混合されて、図１のゲイン６２へと出力される。２個のゲイン３１６、ゲイン３１８は不図示の操作子でゲイン量を個別に調整可能になっている。なお、音源部３１２および音源部３１４は夫々、ボイス割り当て指示が与えられるとこれに応答して発音動作を行うように構成されていると共に、例えば３音分割り当て可能で同時発音可能にも構成されている。
【００１９】
また、割り当て指示部３０８が音源部３１２に対してボイス割り当て指示を与えた場合、これに応答して音源部３１２は、メモリ７０からＰＣＭ信号「ＰＨ」を読み出し再生出力する。同様に、割り当て指示部３１０が音源部３１４に対してボイス割り当て指示を与えた場合、これに応答して音源部３１４は、メモリ７０からＰＣＭ信号「ＰＬ」を読み出し再生出力する。
【００２０】
（動作）
次に動作を説明する。今、打撃面１がドラムスティック又は手等により打撃されて振動ピックアップが衝撃波信号（Ｓｕ）を検出した場合、この衝撃波信号（Ｓｕ）はＡ／Ｄ変換器１０でアナログデジタル変換されて、共振系信号処理部２０およびＰＣＭ系信号処理部３０の両信号処理部に供給される。共振系信号処理部２０は、衝撃波信号（Ｓｕ）に対するノイズ除去処理を行い、例えば共振周波数に合致した周波数の信号及びこの共振周波数の倍音信号を出力する。すると、これがゲイン６０によって増幅されてミキサー６５に入力される。ＰＣＭ信号処理部３０からの信号もゲイン６２によって増幅されミキサー６５に入力されると、両者は混合されてこの混合信号がＤ／Ａ変換器４０でデジタルアナログ変換され、電子ドラムの楽音信号がスピーカ５０から放音されることになる。
【００２１】
次に、図２、図６を参照してＰＣＭ系信号処理部３０に衝撃波信号（Ｓｕ）が入力されてから所要の処理が施された信号が出力されるまでの動作を説明する。図２におけるステップＳ２００、ステップＳ２１０、ステップＳ２２０の処理は図６のトリガ検出部３０４およびトリガ信号検出部３０６が行う。先ず、衝撃波信号（Ｓｕ）が入力されるとＨＰＦ３００はその高域側周波数成分を抽出してトリガ検出部３０４に出力する一方、ＬＰＦ３０２はその低域側周波数成分を抽出してトリガ検出部３０６に出力する。トリガ検出部３０４およびトリガ信号検出部３０６は夫々、ステップＳ２００において、衝撃波信号（Ｓｕ）のエンベロープ信号を生成する。次に、ステップＳ２１０において、生成されたエンベロープ信号が予め設定した或る閾値（ｔｈ）を超えたか否かを判定する。そして、この或る閾値（ｔｈ）を超えたものが存在すると判定した場合にのみ（ステップＳ２１０のＹｅｓ）、ステップＳ２２０に移行して、そのピーク値を検出したか否かを判定する一方、これ以外の場合（ステップＳ２１０のＮｏ）には処理を終える。次に、トリガ検出部３０４およびトリガ信号検出部３０６は夫々、ステップＳ２２０において、ピーク値を検出した場合（ステップＳ２２０のＹｅｓ）にはトリガ信号を検出したとして、対応する割り当て指示部（３０８、３１０）にトリガ信号を出力してステップＳ２３０に移行し、これ以外の場合（ステップＳ２２０のＮｏ）には処理を終える。
【００２２】
そして、ステップＳ２３０ではＰＣＭ再生を行う。先ず、割り当て指示部３０８がトリガ検出部３０４からのトリガ信号を受けた場合には、音源部３１２に対してボイス割り当て指示を与える。これに応答して音源部３１２は、メモリ７０からＰＣＭ信号「ＰＨ」を読み出し再生出力する。同様に、割り当て指示部３１０がトリガ検出部３０６からのトリガ信号を受けた場合には音源部３１４に対してボイス割り当て指示を与える。これに応答して音源部３１４は、メモリ７０からＰＣＭ信号「ＰＬ」を読み出し再生出力する。そして、音源部３１２、３１４からの出力は夫々ゲイン３１６、３１８で増幅されミキサー３２０で混合され、図１のゲイン６２へ出力される。これに応答して、ゲイン６２はＰＣＭ信号を増幅しミキサー６５に供給する。以上のようにＰＣＭ方式で録音された残響音等を再生出力することができる。
【００２３】
以上説明してきたように本発明の実施形態の電子ドラムによれば、衝撃波信号（Ｓｕ）を異なる周波数特性の２種類のフィルタであるＨＰＦ３００とＬＰＦ３０２の夫々に対してその後段側に、トリガ検出部（３０４、３０６）、フィルタ固有の音源部（３１２、３１４）および割り当て指示部（３０８、３１０）とを含んで成る２系統の信号処理系（ハイパス信号処理系、ローパス信号処理系）を設けている。そして、割り当て指示部（３０８、３１０）は、各フィルタ（ＨＰＦ３００、ＬＰＦ３０２）の出力に基づいてトリガ信号を検出するトリガ検出部（３０４、３３０６）からトリガ信号を与えられると、これに応答して対応する音源部（３１２、３１４）にボイス割り当て指示を与えるので、対応する音源部（３１２、３１４）はこれに応答してフィルタ固有の発音動作を行う。したがって、衝撃波信号に対して各フィルタ固有の周波数特性で抽出される周波数成分を利用した発音処理が行われることによって、リアリティのある打撃音を放音することが可能となる。この結果、簡単な構成で打撃対象物や打撃態様を考慮した音色制御等を行うことが可能となる。
【００２４】
例えば、打撃対象物として硬い物を打撃すればＬＰＦ３０２よりもＨＰＦ３００の出力レベルが大きくなり、その結果、ミキサー３２０で混合される混合信号の内、ハイパス信号処理系からの混合比が高くなる一方、打撃対象物として軟い物を打撃すればミキサー３２０で混合される混合信号の内、ローパス信号処理系からの混合比が高くなる。また、打撃位置や打撃態様を変化させることで衝撃波信号の周波数成分が変わるので、本実施形態によれば、打撃位置や打撃態様の変化を考慮したリアリティのある打撃音を放音可能なＰＣＭ録音方式の電子ドラムを簡単な構成で実現することができる。
【００２５】
また、本発明の機能は、ＣＰＵやＤＳＰがＲＯＭ等の記録媒体に記録された動作プログラムをＲＡＭ等をワークエリアとして使用しながら実行することによって実現可能である。
【産業上の利用可能性】
【００２６】
以上説明してきたように、本発明は打撃面を打撃することによって打撃音を放音可能な電子ドラムに適用することができる。
【符号の説明】
【００２７】
１０  Ａ／Ｄ変換器
２０  共振系信号処理部
３０  ＰＣＭ系信号処理部
４０  Ｄ／Ａ変換器
５０  スピーカ
６０  ゲイン
６２  ゲイン
６５  ミキサー
３００  ＨＰＦ（ハイパスフィルタ）
３０２  ＬＰＦ（ローパスフィルタ）  
３０４  トリガ検出部
３０６  トリガ検出部
３０８  割り当て指示部
３１０  割り当て指示部
３１２  音源部
３１４  音源部
３１６  ゲイン
３１８  ゲイン
３２０  ミキサ
７００  テーブル
【図１】
2010271428.tif 000003
【図２】
2010271428.tif 000004
【図３】
2010271428.tif 000005
【図４】
2010271428.tif 000006
【図５】
2010271428.tif 000007
【図６】
2010271428.tif 000008
【図７】
2010271428.tif 000009
【図８】
2010271428.tif 000010